(57)【特許請求の範囲】
【請求項１】
発進立坑を推進管の推進レベル以下の深さに築造せしめ、該発進立坑内底には上方に支持部材を備えた元押ジャッキを昇降自在に設置せしめると共に、発進立坑より内部にガイド部材を備えた推進管支持用鞘管を推進管の推進レベルに設置せしめ、しかるのち、元押ジャッキを鞘管レベル以下に下降作動せしめて推進管の搬入スペ−スを確保せしめつつ、地上より推進管を発進立坑内に搬入して支持部材とガイド部材によりガイドせしめながら鞘管に挿入せしめたのち、元押ジャッキを上昇作動せしめて推進管を鞘管内に沿せつつ推進せしめることを特徴とする、推進管の推進方法。
【請求項２】
所要の深さを備えた発進立坑内に設置自在とされた推進管押圧用推進機と、推進管をその推進方向に支持せしめるべく発進立坑の側壁に連通状に設置自在とされた鞘管とよりなる推進管の推進装置であって、上記推進機は所要の基台上に元押ジャッキが昇降手段を介して昇降自在に立設され、該元押ジャッキの上方には鞘管に挿入すべき推進管を推進方向に向けてガイド状に支持せしめるべく支持部材が配設されると共に、鞘管の内部には推進管を進行方向にガイドせしめるべくガイド部材が内設されてなり、推進管を発進立坑内に搬入せしめるさいには元押ジャッキを下降作動せしめてその搬入スペ−スを確保せしめつつ、支持部材とガイド部材によりガイドせしめながら鞘管に挿入せしめ、推進管の推進時には元押ジャッキを上昇作動せしめて推進管を鞘管に沿せつつ推進せしめるべく構成されてなることを特徴とする、推進管の推進装置。
【発明の詳細な説明】
【技術分野】
【０００１】
本発明は、推進管の推進方法およびその装置に関し、さらに詳細には、小型の発進立坑内においても標準長の推進管を容易に、作業能率よく推進せしめることが出来る、推進管の推進方法およびその装置に関する。
【背景技術】
【０００２】
下水道などの管渠を敷設せしめる工法としては、工費が安価であるのみならず、工事専有面積が少ない推進工法が広く用いられている。そして、かかる推進工法は、発進立坑よりセミシ−ルドマシンを発進せしめて横孔を掘削せしめつつ、発進立坑内に設置せしめた元押ジャッキでもって横孔に順次推進管を押込んで接続せしめることにより管渠を敷設せしめるものとされている。なお、上記推進工法における発進立坑は、一般に矢板、ライナ−プレ−ト、コンクリ−ト二次製品、あるいは鋼管などにより築造され、該発進立坑の断面寸法は推進せしめる推進管径の大きさによりほぼ決定され、推進方向の長さは元押ジャッキの機長と推進管の長さ、及び反力体の厚みなどを加えると共に、若干の余裕長を加えて決定するものとされている。  
【０００３】
ところで、発進立坑を道路部に築造せしめる場合、道路幅員や交通状況などにより一般的な占有長を確保することが出来ない場合、あるいは、長期にわたり発進立坑の築造期間を確保することが出来ない場合などにおいては、発進立坑の専有スペ−スを大きくすることができないものである。このため、やむえず発進立坑の専有スペ−スを小さくして管渠を敷設せしめざるをえない場合には、小径状の鋼管でもって小型の発進立坑を築造せしめると共に、該発進立坑の内底に機長の短い元押ジャッキを設置せしめ、地上より推進管を吊下げつつ発進立坑内に搬入し、その先部を予め掘削形成せしめた横孔に挿入せしめると共に、推進管の後端部と元押ジャッキとの間にストラットを適宜介装せしめつつ、元押ジャッキにより推進管を順次押込んで接続せしめることにより管渠を敷設せしめるものとされている。
【０００４】
しかしながら、かかる従来例は、小径状の鋼管により小型発進立坑を築造せしめるものであるから、必然的に発進立坑内の作業スペ−スが狭いものとなり、機長の短い元押ジャッキでもってストラットを介装せしめつつ推進管を推進せしめざるを得ず、ひいては、推進管の推進作業が非常に面倒で手間がかかり、極めて作業能率が悪いのみならず、施工コストのアップを招来せしめ、また、推進管を発進立坑内に搬入せしめるさいにおいても元押ジャッキと干渉しやすく、その搬入作業が非常に困難性を伴うものである。
【０００５】
かかる従来例の問題点を解決するものとして、特開平１０−１７６４８２号公報には、所要の深さを備えた小型発進立坑内底に反力体を介して旋回自在に取付けられた元押ジャッキと、推進管を載置支持せしめるべく該元押ジャッキの下方に配設されたテ−ブルと、元押ジャッキと推進管との間に介在せしめるストラットおよび押輪とよりなる推進管の推進装置が開示されている。
【０００６】
そして、上述の如く構成された特開平１０−１７６４８２号公報記載の推進装置は、元押ジャッキを発進立坑の内周面方向に旋回作動せしめ、テ−ブル上方に作業スペ−スを確保せしめたのち、地上より推進管を吊下げつつ発進立坑内に搬入せしめてテ−ブル上に載置支持せしめる。しかるのち、元押ジャッキを旋回作動せしめて推進管の推進方向に合致せしめると共に、推進管の後端との間に押輪及びストラットを介装せしめつつ、元押ジャッキを作動せしめて推進管を順次押込んで接続せしめ、管渠を敷設せしめるものである。
【特許文献１】特開平１０−１７６４８２号公報
【発明の開示】
【発明が解決しようとする課題】
【０００７】
ところで、上記特開平１０−１７６４８２号公報記載の推進管の推進装置は、推進管を発進立坑内に吊下げつつ搬入せしめるさいには元押ジャッキを発進立坑の内周面方向に旋回作動せしめ、テ−ブル上方の作業スペ−スを確保せしめることが出来るものであって、狭い発進立坑内においても、推進管の搬入作業を比較的容易に行うことが出来るものである。
しかしながら、元押ジャッキは反力体を介して発進立坑内に旋回自在に取付けるものであるから、元押ジャッキが邪魔となって必ずしもテ−ブル上方の作業スペ−スを十分に確保することが出来ないのみならず、元押ジャッキ自体の機長をあまり長く設定せしめることが出来ないものである。このため、推進管を押込んで推進せしめるさいには必然的にストラットを介装せしめざるを得ないものである。さらに、元押ジャッキを必要に応じて適宜旋回作動せしめるものであるから、その作業が非常に面倒であるのみならず、耐久性において問題があり、また、同様にストラットも適宜介装せしめるものであるから、その介装・取外し作業が非常に面倒で煩しいものであって、全体として推進作業能率が悪いのみならず、施工コストのアップを招来せしめるものである。
【０００８】
本発明は上記従来例の問題点を解決し、推進管を小型立坑内に容易に搬入して推進作業を行うことが出来るのみならず、元押ジャッキの機長を長く設定して推進管を非常に能率よく確実に押込んで接続せしめつつ管渠を敷設せしめることが出来る、推進管の推進方法およびその装置を提供しようとするものである。
【課題を解決するための手段】
【０００９】
上記の目的を達成するため、本発明の請求項１記載の発明は、発進立坑を推進管の推進レベル以下の深さに築造せしめ、該発進立坑内底には上方に支持部材を備えた元押ジャッキを昇降自在に設置せしめると共に、発進立坑より内部にガイド部材を備えた推進管支持用鞘管を推進管の推進レベルに設置せしめ、しかるのち、元押ジャッキを鞘管レベル以下に下降作動せしめて推進管の搬入スペ−スを確保せしめつつ、地上より推進管を発進立坑内に搬入して支持部材とガイド部材によりガイドせしめながら鞘管に挿入せしめたのち、元押ジャッキを上昇作動せしめて推進管を鞘管内に沿せつつ推進せしめることを特徴とする、推進管の推進方法を要旨とするものである。
【００１０】
請求項２記載の発明は、所要の深さを備えた発進立坑内に設置自在とされた推進管押圧用推進機と、推進管をその推進方向に支持せしめるべく発進立坑の側壁に連通状に設置自在とされた鞘管とよりなる推進管の推進装置であって、上記推進機は所要の基台上に元押ジャッキが昇降手段を介して昇降自在に立設され、該元押ジャッキの上方には鞘管に挿入すべき推進管を推進方向に向けてガイド状に支持せしめるべく支持部材が配設されると共に、鞘管の内部には推進管を進行方向にガイドせしめるべくガイド部材が内設されてなり、推進管を発進立坑内に搬入せしめるさいには元押ジャッキを下降作動せしめてその搬入スペ−スを確保せしめつつ、支持部材とガイド部材によりガイドせしめながら鞘管に挿入せしめ、推進管の推進時には元押ジャッキを上昇作動せしめて推進管を鞘管に沿せつつ推進せしめるべく構成されてなることを特徴とする、推進管の推進装置を要旨とするものである。
【発明の効果】
【００１１】
請求項１記載の発明は上述のように構成されているから、発進立坑内に推進管を搬入せしめる場合には元押ジャッキを下降作動せしめ、鞘管の後方を全面解放して作業スペ−スを有効に確保せしめることが出来るため、発進立坑内の狭いスペ−ス下においても推進管の搬入作業を容易に行うことが出来るものである。また、元押ジャッキは昇降自在とされているから、狭い発進立坑内のスペ−ス下においても従来例に比して長い機長に設定せしめることが出来るものであって、従来例のようにストラットを介装せしめることなく推進管を鞘管に沿せつつ迅速、かつ、確実に、しかも作業能率よく推進せしめ、全体として安価な施工コストでもって管渠を敷設せしめることが出来るのみならず、支持部材とガイド部材によりガイドせしめつつ推進管を鞘管に沿って容易に、しかも、迅速、かつ、確実に能率よく推進作動せしめることが出来、しかも、先行推進管と後続推進管との中心を容易に同心状に合致せしめつつ確実に接続せしめることが出来るものである。
【００１２】
請求項２記載の発明は上述のように構成されているから、発進立坑内に推進管を搬入せしめる場合には元押ジャッキを下降作動せしめ、鞘管の後方を全面解放してその搬入スペ−スを有効に確保せしめることが出来るものであって、発進立坑内の狭いスペ−ス下においても元押ジャッキに干渉されることなく推進管の搬入作業を極めて容易に行うことが出来る。また、元押ジャッキは発進立坑内に推進管を搬入せしめるさいには下降作動せしめてその干渉を有効に防止することが出来るため、従来例に比して長い機長に設定せしめることが出来るものであって、ひいては、ストラットを介装せしめることなく推進管を鞘管に沿って迅速、かつ、確実に、しかも、作業能率よく推進せしめ、全体として安い施工コストでもって管渠を敷設せしめることが出来るのみならず、支持部材とガイド部材にガイドせしめつつ推進管を鞘管内に沿って容易に、しかも迅速、かつ確実に作業能率良く推進せしめることが出来、しかも、先行推進管と後続推進管との中心を容易に同心状に合致せしめつつ確実に接続せしめることが出来るものである。
【発明を実施するための最良の形態】
【００１３】
以下に、本発明を実施するための最良の形態を図面に示す一実施例に基づいて詳細に説明する。
【００１４】
図１乃至図７は本発明の一実施例を示すもので、同図中、１は横断面円形状の鋼管により築造された小型発進立坑、２は該発進立坑１を構成するコンクリ−ト製床盤、３は該床盤２上に設置自在とされた昇降自在な推進管押圧用推進機で、上記発進立坑１の深さは該推進機３の上死点が後記する鞘管１０レベルに位置せしめるべく所要の深さに設定されている。４は上記推進機３を構成する基台、５は該基台４上にリンク機構６を介して油圧シリンダ（図示略）などの駆動手段により昇降自在に水平配設された多段状の元押ジャッキで、該元押ジャッキ５の機長は従来例に比して長く設定せしめられている。７は該元押ジャッキ５の後端部に取付けられた略盤状の反力体、８は元押ジャッキ５の前端部に取付けられた略馬蹄形状の押輪、９は後記する推進管１３を鞘管１０方向にガイド状に支持せしめるべく元押ジャッキ５の先部上端に取付けられた両側一対のガイドロ−ラである。１０は上記発進立坑１の一側に横孔１１を介して推進方向に設置自在とされた横断面円形状の鋼管製鞘管で、該鞘管１０の内径および長さは後記する推進管１３のそれより若干大に設定せしめられていると共に、元押ジャッキ５の上死点に位置すべく所定のレベルに設定せしめるものとされている。１２は後記する推進管１３を推進方向にガイドせしめるべく上記鞘管１０の長手方向に沿ってその内部下端に配設自在とされた２条のガイドロ−ラである。その他、１３は横断面円形状の推進管、１４は該推進管１３を発進立坑１内に吊下げて搬入せしめるワイヤ−ロ−プで、該ワイヤ−ロ−プ１４は別途地上に設置されたクレ−ン（図示略）により吊下げ作動せしめるものとされている。
【００１５】
次に、上述の如く構成された実施例の作動について説明する。
まず、鋼管回転埋設工法や鋼管揺動埋設工法など公知の方法により小径鋼管を埋設せしめて所要深さの小型発進立坑１を築造せしめると共に、予め鞘管１０の敷設位置および敷設時の掘削影響範囲内において地盤改良を行う。次いで、複数に分割した鞘管部材を順次地上より発進立坑１内に搬入し、簡易ジャッキなどで地盤に押込みながら先端の開口部を掘削して横孔１１を形成せしめつつ挿入せしめると共に、順次後続の鞘管部材を接続して所要長の鞘管１０を形成せしめる。しかるのち、鞘管１０の長手方向に沿ってその内部に２条のガイドロ−ラ１２を取付けると共に、鞘管１０の先端部に発進エントランスを取付けてその周囲を閉塞せしめ、鞘管１０の設置を完了する。鞘管１０の設置が完了すると、図１に示すように、発進立坑１の内底に推進機３を設置せしめる。        
【００１６】
しかるのち、推進管１３を発進立坑１内に搬入せしめて鞘管１０内に挿入せしめると共に、元押ジャッキ５により押込んで順次接続せしめ、管渠を敷設せしめる。
【００１７】
即ち、先ず、図１に示すように、リンク機構６を作動せしめることにより元押ジャッキ５を下死点の位置に下降作動せしめ、発進立坑１内における鞘管１０の後方に作業スペ−スを確保せしめる。しかるのち、図４および図５に示すように、地上より推進管１３をワイヤ−ロ−プ１４でもって吊下げつつ発進立坑１内に搬入せしめ、ガイドロ−ラ９・１２にガイドせしめつつ鞘管１０内に挿入せしめる。このさい、元押ジャッキ５を下降作動せしめ、発進立坑１内における鞘管１０の後方全面を作業スペ−スとして確保せしめているから、推進管１３の搬入作業を極めて容易に作業能率良く行うことが出来るのみならず、ガイドロ−ラ９・１２によりガイドせしめつつ推進管１３を鞘管１０内に挿入せしめるものであるから、その挿入作業を手作業などにより容易に行うことが出来る。そして、図６に示すように、推進管１３を鞘管１０内に挿入せしめた時点で元押ジャッキ５を上昇作動せしめ、鞘管１０レベルに停止せしめる。しかるのち、図７に示すように、反力体７を発進立坑１の内周面に当接すると共に、押輪８を推進管１３の後端部に当てがいつつ、元押ジャッキ５を作動せしめ、鞘管１０に挿入せしめた推進管１３を押込んで推進せしめる。このさい、元押ジャッキ５は、発進立坑１内に推進管１３を搬入せしめるさいには下降作動せしめてその干渉を有効に防止せしめることが出来るため、従来例に比して長い機長に設定せしめることが出来るものであって、ひいては、ストラットを介装せしめることなく推進管１３を鞘管１０に沿って迅速、かつ、確実に、しかも、作業能率よく推進せしめることが出来る。そして、推進管１３を一定長に推進せしめた時点で元押ジャッキ５の作動を停止せしめ、後退作動せしめると共に下降作動せしめて原状に復帰せしめる。
【００１８】
先行推進管１３の推進作業が完了すると、同様に操作して後続の推進管１３を発進立坑１内に搬入せしめて鞘管１０内に挿入せしめると共に、元押ジャッキ５の先部に取付けた押輪８の内空部より電線や信号線、送配水パイプなどを推進管１３内に通し、先行推進管１３の配管などに接続せしめたのち、元押ジャッキ５により押込んで順次接続せしめる。このさい、推進管１３はガイドロ−ラ１２にガイドせしめつつ鞘管１０に沿って押込むものであるから、常に先行推進管１３の中心と後続推進管１３の中心を正確に同心状に合致せしめつつ容易に、しかも確実に接続せしめることが出来るものであって、止水の為に介装せしめるパッキンのめくれや損傷を有効に防止せしめることが出来る。
【００１９】
以下、同様に推進管１３を発進立坑１内に搬入せしめて鞘管１０内に挿入せしめると共に、元押ジャッキ５により押込んで順次接続せしめ、管渠を敷設せしめる。
【００２０】
なお、上記実施例において、元押ジャッキ５はリンク機構６により昇降作動せしめるものとされているが、これに限定されるものでなく、油圧ジャッキ、あるいはジャ−ナルジャッキなど公知の昇降手段を採択使用することが出来るものである。また、元押ジャッキ５と鞘管１０には各々ガイドロ−ラ９・１２が取付けられているが、これに限定されるものでなく、ガイドレ−ル、あるいはこれにガイドロ−ラを組合せたものなど公知のガイド手段を採択使用することが出来るものである。さらに、反力体７は元押ジャッキ５に取付けて同期に昇降作動せしめるものとされているが、これに限定されるものでなく、発進立坑１の内壁に着脱自在に取付けてもよいものである。
【図面の簡単な説明】
【００２１】
【図１】本発明の一実施例を示す縦断面図である。
【図２】実施例の推進管押圧用推進機３を示す正面図である。
【図３】実施例の鞘管１０を示す正面図である。
【図４】実施例の推進管１３を発進立坑１内に搬入せしめる状態を示す縦断面図である。
【図５】実施例の推進管１３をガイドロ−ラ９・１２にガイドせしめつつ鞘管１０に挿入せしめる状態を示す縦断面図である。
【図６】実施例の元押ジャッキ５を上昇作動せしめた状態を示す縦断面図である。
【図７】実施例の元押ジャッキ５により推進管１３を推進せしめる状態を示す縦断面図である。
【符号の説明】
【００２２】
１    発進立坑  
２    床盤
３    推進機
４    基台
５    元押ジャッキ
６    リンク機構
７    反力体
８    押輪
９    ガイドロ−ラ
１０  鞘管
１１  横孔
１２  ガイドロ−ラ
１３  推進管
１４  ワイヤ−ロ−プ
【図１】
0004603434.tif 000002
【図２】
0004603434.tif 000003
【図３】
0004603434.tif 000004
【図４】
0004603434.tif 000005
【図５】
0004603434.tif 000006
【図６】
0004603434.tif 000007
【図７】
0004603434.tif 000008